(57)【要約】遺失物を簡易に検索する。  管理サーバは、各所で保管される拾得物に関する情報を登録する拾得物ＤＢを備えている。そして、管理サーバの制御部は、ユーザ端末からネットワークを介して送信される遺失物の検索依頼を受信したことに応答して（ステップＳ１）、検索依頼された遺失物に関する情報と、拾得物ＤＢに登録されている拾得物に関する情報と、に基づいて、検索依頼された遺失物の候補を、拾得物に登録されている拾得物のうちから検出する（ステップＳ２）。そして、制御部は、ステップＳ２で検出した遺失物の候補をネットワークを介してユーザ端末に通知する（ステップＳ１）。その後、制御部は、ステップＳ１で通知した遺失物の候補のうちのいずれかがユーザ端末で選択されたことに応答して、選択された遺失物の候補である拾得物の保管所の連絡先をネットワークを介してユーザ端末に通知する。
2018012439.tif 000002
【特許請求の範囲】
【請求項１】
各所で保管される拾得物に関する情報を登録する拾得物データベース（３４２）と、
ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、前記検出した前記遺失物の候補を、前記ネットワーク（Ｎ）を介して前記ユーザ端末（１０）に通知する制御部（３５）と、
を備える遺失物検索装置（３０）。
【請求項２】
前記拾得物に関する情報には、該拾得物の画像が含まれ、
前記遺失物に関する情報には、該遺失物の画像が含まれ、
前記制御部（３５）は、前記拾得物データベース（３４２）に登録されている前記拾得物の画像と、前記検索依頼された遺失物の画像と、で画像照合を行って、該拾得物と該遺失物とのマッチング率を求め、該マッチング率が所定の閾値以上の該拾得物を該遺失物の候補として検出する、
請求項１に記載の遺失物検索装置（３０）。
【請求項３】
前記拾得物に関する情報には、該拾得物の拾得場所が含まれ、
前記遺失物に関する情報には、該遺失物の遺失範囲が含まれ、
前記制御部（３５）は、前記拾得場所が前記遺失範囲に含まれる前記拾得物を前記遺失物の候補として検出する、
請求項１に記載の遺失物検索装置（３０）。
【請求項４】
前記拾得物に関する情報には、前記拾得物データベース（３４２）への登録日時が含まれ、
前記遺失物に関する情報には、該遺失物の遺失期間が含まれ、
前記制御部（３５）は、前記登録日時が前記遺失期間に含まれる前記拾得物を前記遺失物の候補として検出する、
請求項１に記載の遺失物検索装置（３０）。
【請求項５】
前記制御部（３５）は、前記通知した前記遺失物の候補のうちのいずれかが、前記ユーザ端末（１０）で選択されたことに応答して、該選択された遺失物の候補である拾得物の保管所の連絡先を、前記ネットワーク（Ｎ）を介して前記ユーザ端末（１０）に通知する、
請求項１に記載の遺失物検索装置（３０）。
【請求項６】
前記制御部（３５）は、前記遺失物の検索依頼を受信した後、新たに前記拾得物に関する情報を前記拾得物データベース（３４２）に登録した場合、該検索依頼された遺失物に関する情報と、該新たに登録した拾得物に関する情報と、に基づいて、該新たに登録した拾得物が該遺失物の候補である否かを判別し、
前記新たに登録した拾得物が前記遺失物の候補であると判別した場合、該新たに登録した拾得物を該遺失物の候補として前記ネットワーク（Ｎ）を介して前記ユーザ端末（１０）に通知する、
請求項１に記載の遺失物検索装置（３０）。
【請求項７】
各所で保管される拾得物に関する情報を登録する拾得物データベース（３４２）と、ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、前記検出した前記遺失物の候補を、前記ネットワーク（Ｎ）を介して前記ユーザ端末（１０）に通知する制御部（３５）と、を備える遺失物検索装置（３０）と、
前記遺失物検索装置（３０）と前記ネットワーク（Ｎ）を介して接続された前記ユーザ端末（１０）と、
を具備する遺失物検索システム（１）。
【請求項８】
各所で保護される身元不明者に関する情報を登録する身元不明者データベースと、
ユーザ端末（１０）からネットワーク（Ｎ）を介して送信される行方不明者の捜索依頼を受信したことに応答して、該捜索依頼された行方不明者に関する情報と、前記身元不明者データベースに登録されている前記身元不明者に関する情報と、に基づいて、該捜索依頼された行方不明者の候補を、該身元不明者データベースに登録されている該身元不明者のうちから検出し、前記検出した前記行方不明者の候補を、前記ネットワーク（Ｎ）を介して前記ユーザ端末（１０）に通知する制御部（３５）と、
を備える行方不明者捜索装置。
【請求項９】
前記身元不明者に関する情報には、該身元不明者の顔写真が含まれ、
前記行方不明者に関する情報には、該行方不明者の顔写真が含まれ、
前記制御部（３５）は、前記身元不明者データベースに登録されている前記身元不明者の顔写真と、前記捜索依頼された行方不明者の顔写真と、で顔認証を行って、該身元不明者と該行方不明者とのマッチング率を求め、該マッチング率が所定の閾値以上の該身元不明者を該行方不明者の候補として検出する、
請求項８に記載の行方不明者捜索装置。
【請求項１０】
各所で保管される拾得物に関する情報を登録する拾得物データベース（３４２）を備える遺失物検索装置（３０）が実行する遺失物検索方法であって、
ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、
前記検出した前記遺失物の候補を、前記ネットワーク（Ｎ）を介して前記ユーザ端末（１０）に通知する、
遺失物検索方法。
【請求項１１】
各所で保管される拾得物に関する情報を登録する拾得物データベース（３４２）を備えるコンピュータ（３０）に、
ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出させ、
前記検出した前記遺失物の候補を、前記ネットワーク（Ｎ）を介して前記ユーザ端末（１０）に通知させる、
ためのプログラム。
【発明の詳細な説明】
【技術分野】
【０００１】
本発明は、遺失物検索装置、遺失物検索システム、遺失物検索方法、プログラム、及び行方不明者捜索装置に関し、特に、遺失物を簡易に検索することができる遺失物検索装置、遺失物検索システム、遺失物検索方法、及びプログラム、並びに行方不明者を簡易に捜索することができる行方不明者捜索装置に関する。
【背景技術】
【０００２】
現状、複数の路線を乗り換えて通勤する者が、その通勤途中に落とし物をした場合、各鉄道会社の落とし物センタの電話番号を自分で調べて、各社の落し物センタのそれぞれに電話をかけなければならず、落とし主にとって大変面倒である。また、タクシー内に忘れ物をした場合において、自分が乗ったタクシーの会社を覚えていないときには、タクシー会社に手当たり次第電話をかけなければならず、これまた落とし主にとって大変面倒である（例えば特許文献１参照）。
なお、本明細書中に特許文献１の明細書、特許請求の範囲、図面全体を参考として取り込むものとする。
【先行技術文献】
【特許文献】
【０００３】
【特許文献１】特開平７−３０２２８６号公報
【発明の概要】
【発明が解決しようとする課題】
【０００４】
本発明は、上記の課題を解決するためになされたものであって、遺失物を簡易に検索することができる遺失物検索装置、遺失物検索システム、遺失物検索方法、及びプログラム、並びに行方不明者を簡易に捜索することができる行方不明者捜索装置を提供することを目的とする。
【課題を解決するための手段】
【０００５】
上記の目的を達成するため、本発明の第１の観点に係る遺失物検索装置（３０）は、各所で保管される拾得物に関する情報を登録する拾得物データベース（３４２）と、ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、前記検出した前記遺失物の候補を、前記ネットワーク（Ｎ）を介して前記ユーザ端末（１０）に通知する制御部（３５）と、を備える。【０００６】
上記の遺失物検索装置（３０）において、前記拾得物に関する情報には、該拾得物の画像が含まれ、前記遺失物に関する情報には、該遺失物の画像が含まれ、前記制御部（３５）は、前記拾得物データベース（３４２）に登録されている前記拾得物の画像と、前記検索依頼された遺失物の画像と、で画像照合を行って、該拾得物と該遺失物とのマッチング率を求め、該マッチング率が所定の閾値以上の該拾得物を該遺失物の候補として検出する、ようにしてもよい。【０００７】
上記の遺失物検索装置（３０）において、前記拾得物に関する情報には、該拾得物の拾得場所が含まれ、前記遺失物に関する情報には、該遺失物の遺失範囲が含まれ、前記制御部（３５）は、前記拾得場所が前記遺失範囲に含まれる前記拾得物を前記遺失物の候補として検出する、ようにしてもよい。【０００８】
上記の遺失物検索装置（３０）において、前記拾得物に関する情報には、前記拾得物データベース（３４２）への登録日時が含まれ、前記遺失物に関する情報には、該遺失物の遺失期間が含まれ、前記制御部（３５）は、前記登録日時が前記遺失期間に含まれる前記拾得物を前記遺失物の候補として検出する、ようにしてもよい。【０００９】
上記の遺失物検索装置（３０）において、前記制御部（３５）は、前記通知した前記遺失物の候補のうちのいずれかが、前記ユーザ端末（１０）で選択されたことに応答して、該選択された遺失物の候補である拾得物の保管所の連絡先を、前記ネットワーク（Ｎ）を介して前記ユーザ端末（１０）に通知する、ものであってもよい。【００１０】
上記の遺失物検索装置（３０）において、前記制御部（３５）は、前記遺失物の検索依頼を受信した後、新たに前記拾得物に関する情報を前記拾得物データベース（３４２）に登録した場合、該検索依頼された遺失物に関する情報と、該新たに登録した拾得物に関する情報と、に基づいて、該新たに登録した拾得物が該遺失物の候補である否かを判別し、前記新たに登録した拾得物が前記遺失物の候補であると判別した場合、該新たに登録した拾得物を該遺失物の候補として前記ネットワーク（Ｎ）を介して前記ユーザ端末（１０）に通知する、ようにしてもよい。【００１１】
上記の目的を達成するため、本発明の第２の観点に係る遺失物検索システム（１）は、各所で保管される拾得物に関する情報を登録する拾得物データベース（３４２）と、ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、前記検出した前記遺失物の候補を、前記ネットワーク（Ｎ）を介して前記ユーザ端末（１０）に通知する制御部（３５）と、を備える遺失物検索装置（３０）と、前記遺失物検索装置（３０）と前記ネットワーク（Ｎ）を介して接続された前記ユーザ端末（１０）と、を具備する。【００１２】
上記の目的を達成するため、本発明の第３の観点に係る行方不明者捜索装置は、各所で保護される身元不明者に関する情報を登録する身元不明者データベースと、ユーザ端末（１０）からネットワーク（Ｎ）を介して送信される行方不明者の捜索依頼を受信したことに応答して、該捜索依頼された行方不明者に関する情報と、前記身元不明者データベースに登録されている前記身元不明者に関する情報と、に基づいて、該捜索依頼された行方不明者の候補を、該身元不明者データベースに登録されている該身元不明者のうちから検出し、前記検出した前記行方不明者の候補を、前記ネットワーク（Ｎ）を介して前記ユーザ端末（１０）に通知する制御部（３５）と、を備える。【００１３】
上記の行方不明者捜索装置において、前記身元不明者に関する情報には、該身元不明者の顔写真が含まれ、前記行方不明者に関する情報には、該行方不明者の顔写真が含まれ、前記制御部（３５）は、前記身元不明者データベースに登録されている前記身元不明者の顔写真と、前記捜索依頼された行方不明者の顔写真と、で顔認証を行って、該身元不明者と該行方不明者とのマッチング率を求め、該マッチング率が所定の閾値以上の該身元不明者を該行方不明者の候補として検出する、ようにしてもよい。【００１４】
上記の目的を達成するため、本発明の第４の観点に係る遺失物検索方法は、各所で保管される拾得物に関する情報を登録する拾得物データベース（３４２）を備える遺失物検索装置（３０）が実行する遺失物検索方法であって、ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出し、前記検出した前記遺失物の候補を、前記ネットワーク（Ｎ）を介して前記ユーザ端末（１０）に通知する。【００１５】
上記の目的を達成するため、本発明の第５の観点に係るプログラムは、各所で保管される拾得物に関する情報を登録する拾得物データベース（３４２）を備えるコンピュータ（３０）に、ユーザ端末（１０）からネットワーク（Ｎ）を介して送信される遺失物の検索依頼を受信したことに応答して、該検索依頼された遺失物に関する情報と、前記拾得物データベース（３４２）に登録されている前記拾得物に関する情報と、に基づいて、該検索依頼された遺失物の候補を、該拾得物データベース（３４２）に登録されている該拾得物のうちから検出させ、前記検出した前記遺失物の候補を、前記ネットワーク（Ｎ）を介して前記ユーザ端末（１０）に通知させる。
【発明の効果】
【００１６】
本発明によれば、遺失物を簡易に検索することができる遺失物検索装置、遺失物検索システム、遺失物検索方法、及びプログラム、並びに行方不明者を簡易に捜索することができる行方不明者捜索装置を提供することができる。
【図面の簡単な説明】
【００１７】
【図１】遺失物検索システムの構成例を示す図である。
【図２】ユーザ端末の構成例を示すブロック図である。
【図３】（ａ）は、トップ画面の表示例を示す図であり、（ｂ）は、所有物一覧画面を示す図であり、（ｃ）は、所有物詳細画面の表示例を示す図である。
【図４】遺失物登録画面の表示例を示す図である。
【図５】（ａ）は、検索結果画面の表示例を示す図であり、（ｂ）は、遺失物候補詳細画面の表示例を示す図である。
【図６】保管者端末の構成例を示すブロック図である。
【図７】管理サーバの構成例を示すブロック図である。
【図８】遺失物検索処理の一例を示すフローチャートである。
【図９】遺失物検索処理の一例を示すフローチャートである。
【発明を実施するための形態】
【００１８】
以下、本発明を実施するための形態について説明する。
【００１９】
まず、本発明の実施形態に係る遺失物検索システムの構成について図面を参照しつつ説明する。
【００２０】
本実施形態に係る遺失物検索システムは、駅やホテル等の各所で保管される傘や、衣類、バッグ、携帯電話、パーソナルコンピュータ、動物等の拾得物のうちから、ユーザが遺失物を簡易かつ迅速に検索するためのコンピュータシステムである。
【００２１】
図１は、遺失物検索システムの構成例を示す図である。
【００２２】
遺失物検索システム１は、図１に示すように、ユーザ端末１０と、保管者端末２０と、管理サーバ３０と、を具備し、これらはインターネット等のネットワークＮを介して相互に通信可能に接続されている。
【００２３】
ユーザ端末１０は、例えばスマートフォンやタブレットコンピュータ等から構成され、ユーザ毎に所持される。なお、ユーザ端末１０は、携帯電話やパーソナルコンピュータ等から構成されてもよい。
【００２４】
図２は、ユーザ端末の構成例を示すブロック図である。
【００２５】
ユーザ端末１０は、図２に示すように、タッチパネル１１と、撮影部１２と、通信部１３と、記憶部１４と、制御部１５と、を備え、これらはバスを介して接続されている。
【００２６】
タッチパネル１１は、例えば液晶表示装置（Liquid Crystal Display：ＬＣＤ）とポインティングデバイスとを組み合わせた汎用のタッチパネル等から構成され、制御部１５による制御に従って、各種画面を表示するとともに、ユーザによる各種操作を受け付ける。
【００２７】
撮影部１２は、例えば汎用のＣＣＤカメラ（Charge Coupled Device）等から構成され、ユーザによるタッチパネル１１の操作に従って、ユーザの所有物等を撮影する。
【００２８】
通信部１３は、例えば汎用の無線通信装置等から構成され、制御部１５による制御に従って、ネットワークＮを介して管理サーバ３０と無線通信を行う。
【００２９】
記憶部１４は、例えば汎用のフラッシュメモリ等の不揮発性メモリ等から構成され、ユーザが遺失した所有物（以下、「遺失物」という。）を検索するための遺失物検索アプリケーション（以下、「検索アプリ」という。）を記憶する。
【００３０】
制御部１５は、例えばＣＰＵ（Central Processing Unit）、ＲＯＭ（Read Only Memory）、及びＲＡＭ（Random Access Memory）等を含む汎用のマイクロコンピュータ等から構成されている。ＣＰＵは、ＲＡＭをワークメモリとして用いて、ＲＯＭ等に記憶されている各種プログラムや、記憶部１４に記憶されている検索アプリを適宜実行することにより、ユーザ端末１０の各部の動作を制御する。
【００３１】
本実施形態において、制御部１５は、管理サーバ３０からネットワークＮを介してダウンロードした検索アプリを記憶部１４にインストールした後、まず、図示せぬメールアドレス登録画面をタッチパネル１１に表示する。そして、制御部１５は、ユーザがメールアドレス登録画面で入力したメールアドレスを通信部１３からネットワークＮを介して管理サーバ３０に送信した後、図３（ａ）に示すトップ画面１００をタッチパネル１１に表示する。
【００３２】
制御部１５は、ユーザがトップ画面１００に表示される「持ち物登録」のアイコン、又は画面下側に常時表示される「持ち物登録」のアイコンをタップしたことに応答して、図示せぬ所有物登録画面をタッチパネル１１に表示する。そして、制御部１５は、ユーザのメールアドレス、所有物を撮影部１２で撮影して得られる所有物の撮影画像、及びユーザが所有物登録画面で入力した所有物の特徴（例えばブランドや、型番、色、サイズ等）等の所有物に関する情報を含む所有物登録要求を通信部１３からネットワークＮを介して管理サーバ３０に送信する。なお、所有物登録要求に含まれる所有物の画像は、所有物を撮影部１２で撮影して得られる所有物の撮影画像に限定されるものではなく、所有物と同一のブランドや、型番、色、サイズの写真画像をインターネット上からダウンロードしたものであってもよい。また、所有物登録要求には、所有物の撮影画像が含まれていなくてもよい。
【００３３】
また、制御部１５は、ユーザがトップ画面１００に表示される「持ち物リスト」のアイコン、又は画面下側に常時表示される「持ち物リスト」のアイコンをタップしたことに応答して、ユーザが所有物登録画面で登録した所有物の一覧を示す図３（ｂ）の所有物一覧画面１１０をタッチパネル１１に表示する。そして、制御部１５は、ユーザが所有物一覧画面１１０で所望の所有物を選択したことに応答して、その所有物の詳細を示す図３（ｃ）の所有物詳細画面１２０をタッチパネル１１に表示する。ユーザは、所有物詳細画面１２０で所有物の登録内容を修正することができる。
【００３４】
さらに、制御部１５は、ユーザが所有物詳細画面１２０に表示される「落とし物に登録する」のアイコンをタップしたことに応答して、図４に示す遺失物登録画面１３０をタッチパネル１１に表示する。そして、制御部１５は、ユーザが遺失物登録画面１３０で遺失範囲（例えば小田急線〜ＪＲ山手線〜東京メトロ日比谷線での通勤途中等）及び遺失期間（例えば午前１１時頃等）等を入力した後、「登録する」のアイコンをタップしたことに応答して、ユーザのメールアドレス、所有物詳細画面１２０に表示される所有物（遺失物）の撮影画像及び特徴（例えば水色の小さなバッグ等）、並びに遺失物登録画面１３０で入力した遺失範囲及び遺失期間等の遺失物に関する情報を含む遺失物検索依頼を通信部１３からネットワークＮを介して管理サーバ３０に送信する。なお、ユーザは、遺失期間が不明である場合、遺失期間を入力することなく空白にし、或いは遺失期間として「不明」を選択した後、「登録する」のアイコンをタップすればよい。
【００３５】
また、制御部１５は、管理サーバ３０からネットワークＮを介して送信される検出不能通知を通信部１３で受信したことに応答して、遺失物の候補を検出できなかった旨をタッチパネル１１に表示する。これに対して、制御部１５は、管理サーバ３０からネットワークＮを介して送信される検索結果通知を通信部１３で受信したことに応答して、検索結果通知から特定される遺失物の候補と、その候補と遺失物とのマッチング率と、を一覧にして示す図５（ａ）の検索結果画面１４０をタッチパネル１１に表示する。続いて、制御部１５は、ユーザが検索結果画面１４０に一覧表示される遺失物の候補のうちから、自己の遺失物を選択したことに応答して、その詳細を示す図５（ｂ）の遺失物候補詳細画面１５０をタッチパネル１１に表示する。そして、制御部１５は、ユーザが遺失物候補詳細画面１５０をタップしたことに応答して、遺失物候補詳細画面１５０に表示される遺失物の候補を、自己の遺失物として指定する遺失物指定を通信部１３からネットワークＮを介して管理サーバ３０に送信する。
【００３６】
さらに、制御部１５は、管理サーバ３０からネットワークＮを介して送信される保管所通知を通信部１３で受信したことに応答して、保管所通知から特定されるユーザの遺失物を拾得物として保管する保管所の連絡先（例えば電話番号やメールアドレス等）をタッチパネル１１に表示する。
【００３７】
図１に示す保管者端末２０は、ユーザ端末１０と同様に、スマートフォンやタブレットコンピュータ等から構成され、鉄道事業社や、バス事業社、タクシー事業社、駐車場事業社、レンタカー事業社、旅行事業社、ホテル事業社等で拾得物を保管する保管所の従業員（以下、「保管者」という。）毎に保持される。その他、保管者端末２０は、レジャー施設や、ゴルフ場、ショッピングモール、百貨店、スポーツイベント施設等の保管者によって保持されてもよい。なお、保管者端末２０は、携帯電話やパーソナルコンピュータ等から構成されてもよい。
【００３８】
図６は、保管者端末の構成例を示すブロック図である。
【００３９】
保管者端末２０は、図６に示すように、タッチパネル２１と、撮影部２２と、通信部２３と、記憶部２４と、制御部２５と、を備え、これらはバスを介して接続されている。
【００４０】
タッチパネル２１は、タッチパネル１１と同様に、汎用のタッチパネル等から構成され、制御部２５による制御に従って、各種画面を表示するとともに、保管者による各種操作を受け付ける。
【００４１】
撮影部２２は、撮影部１２と同様に、汎用のＣＣＤカメラ等から構成され、保管者によるタッチパネル２１の操作に従って、保管所で保管される拾得物等を撮影する。
【００４２】
通信部２３は、通信部１３と同様に、汎用の無線通信装置等から構成され、制御部２５による制御に従って、ネットワークＮを介して管理サーバ３０と無線通信を行う。
【００４３】
記憶部２４は、記憶部１４と同様に、汎用のフラッシュメモリ等の不揮発性メモリ等から構成され、拾得物を管理サーバ３０に登録するための拾得物登録アプリケーション（以下、「登録アプリ」という。）を記憶する。
【００４４】
制御部２５は、制御部１５と同様に、ＣＰＵ、ＲＯＭ、及びＲＡＭ等を含む汎用のマイクロコンピュータ等から構成され、ＣＰＵは、ＲＡＭをワークメモリとして用いて、ＲＯＭ等に記憶されている各種プログラムや、記憶部２４に記憶されている登録アプリを適宜実行することにより、保管者端末２０の各部の動作を制御する。
【００４５】
本実施形態において、制御部２５は、保管者を特定するための保管者ＩＤ（Identification）、拾得物を撮影部２２で撮影して得られる拾得物の撮影画像、保管者がタッチパネル２１で入力した拾得物の特徴（例えばブランドや、型番、色、サイズ等）、及び拾得場所（例えば新宿駅等の駅名等）等の拾得物に関する情報を含む拾得物登録要求を通信部２３からネットワークＮを介して管理サーバ３０に送信する。
【００４６】
また、制御部２５は、保管者ＩＤと、ユーザに返却した拾得物に関する情報と、を含む拾得物返却通知を通信部２３からネットワークＮを介して管理サーバ３０に送信する。
【００４７】
図１に示す管理サーバ３０は、例えば汎用のサーバコンピュータ等から構成され、鉄道事業社や、バス事業社、タクシー事業社、駐車場事業社、レンタカー事業社、旅行事業社、ホテル事業社等と契約している事業主体によって運営・管理される。
【００４８】
図７は、管理サーバの構成例を示すブロック図である。
【００４９】
管理サーバ３０は、図７に示すように、通信部３３と、記憶部３４と、制御部３５と、を備え、これらはバスを介して接続されている。
【００５０】
通信部３３は、例えばＮＩＣ（Network Interface Card）等の汎用の通信装置を含んで構成され、制御部３５による制御に従って、ネットワークＮを介してユーザ端末１０及び保管者端末２０と無線通信を行う。
【００５１】
記憶部３４は、例えばハードディスクドライブ等から汎用の記憶装置から構成され、検索アプリや登録アプリのインストーラ等を記憶する。また、記憶部３４は、保管者ＤＢ（DateBase）３４０と、ユーザＤＢ３４１と、拾得物ＤＢ３４２と、を含んでいる。
【００５２】
保管者ＤＢ３４０は、事業主体が契約している鉄道事業社や、バス事業社、タクシー事業社、駐車場事業社、レンタカー事業社、旅行事業社、ホテル事業社等の保管所及び保管者を管理するためのもので、保管者ＩＤと、その保管者が所属する保管所と、その保管所の連絡先（例えば電話番号やメールアドレス等）と、を対応付けて登録する。
【００５３】
ユーザＤＢ３４１は、ユーザの所有物を管理するためのもので、ユーザのメールアドレス毎に、そのユーザの所有物の画像及び特徴を対応付けて登録する。
【００５４】
拾得物ＤＢ３４２は、拾得物を管理するためのもので、保管者ＩＤと、拾得物の撮影画像及び特徴と、拾得場所と、拾得物ＤＢ３４２への登録日時と、返却済みフラグと、を対応付けて登録する。
【００５５】
制御部３５は、制御部１５及び制御部２５と同様に、ＣＰＵ、ＲＯＭ、及びＲＡＭ等を含む汎用のマイクロコンピュータ等から構成されている。ＣＰＵは、ＲＡＭをワークメモリとして用いて、ＲＯＭや記憶部３４等に記憶されている各種プログラムを適宜実行することにより、管理サーバ３０の各部の動作を制御する。
【００５６】
本実施形態において、制御部３５は、ユーザ端末１０からネットワークＮを介して送信されるユーザのメールアドレスを通信部３３で受信してユーザＤＢ３４１に登録する。
【００５７】
また、制御部３５は、ユーザ端末１０からネットワークＮを介して送信される所有物登録要求を通信部３３で受信したことに応答して、所有物登録要求から特定されるユーザのメールアドレスと、そのユーザの所有物の撮影画像及び特徴と、を対応付けてユーザＤＢ３４１に登録する。
【００５８】
さらに、制御部３５は、保管者端末２０からネットワークＮを介して送信される拾得物登録要求を通信部３３で受信したことに応答して、拾得物登録要求から特定される保管者ＩＤ、拾得物の撮影画像及び特徴、並びに拾得場所と、その登録日時と、を対応付けて拾得物ＤＢ３４２に登録する。
【００５９】
また、制御部３５は、ユーザ端末１０からネットワークＮを介して送信される遺失物検索依頼を通信部３３で受信したことに応答して、拾得物ＤＢ３４２に登録されている拾得物のうちから、遺失物検索依頼から特定される遺失物の候補を検出する。具体的に、制御部３５は、拾得物ＤＢ３４２に登録されている返却済みフラグがオフの拾得物のうちから、遺失物検索依頼から特定される遺失物と特徴（例えば水色の小さなバッグ等）が合致し、拾得場所（例えば新宿駅等の駅名等）が遺失範囲（例えば小田急線〜ＪＲ山手線〜東京メトロ日比谷線での通勤途中等）に含まれ、登録日時が遺失期間に含まれる拾得物を検出する。続いて、制御部３５は、既存の画像照合システムを用いて、拾得物ＤＢ３４２から検出した拾得物それぞれの撮影画像と、遺失物検索依頼から特定される遺失物の撮影画像と、の照合（画像照合）を行い、拾得物ＤＢ３４２から検出した拾得物それぞれと遺失物とのマッチング率を求める。そして、制御部３５は、遺失物とのマッチング率が所定の閾値（例えば５０％）以上の拾得物を遺失物の候補として検出する。なお、制御部３５は、遺失物と特徴が合致し、拾得場所が遺失範囲に含まれていれば、登録日時が遺失期間に含まれているか否かに関わらず、その拾得物を遺失物の候補として検出してもよいし、遺失物とのマッチング率に関わらず、その拾得物を遺失物の候補として検出してもよい。また、制御部３５は、遺失物検索依頼に遺失物の撮影画像が含まれていない場合、画像照合を行わなくてもよい。
【００６０】
制御部３５は、遺失物の候補を検出できた場合、その遺失物の候補と、その候補と遺失物とのマッチング率と、を含む検索結果通知を通信部３３からネットワークＮを介して、遺失物検索依頼を送信したユーザ端末１０に送信する。
【００６１】
これに対して、制御部３５は、遺失物の候補を検出できなかった場合、その旨を示す検出不能通知を通信部３３からネットワークＮを介して、遺失物検索依頼を送信したユーザ端末１０に送信する。その後、制御部３５は、保管者端末２０からネットワークＮを介して送信される拾得物登録要求を通信部３３で受信したことに応答して、拾得物登録要求から特定される保管者ＩＤ、拾得物の撮影画像及び特徴、並びに拾得場所と、その登録日時と、を対応付けて拾得物ＤＢ３４２に登録するとともに、拾得物ＤＢ３４２に新たに登録した拾得物が、遺失物検索依頼から特定される遺失物の候補であるか否かを判別する。そして、制御部３５は、新たに登録した拾得物が遺失物の候補であると判別した場合、その遺失物の候補と、その候補と遺失物とのマッチング率と、を含む検索結果通知を通信部３３からネットワークＮを介して、遺失物検索依頼を送信したユーザ端末１０に送信する。また、制御部３５は、新たに登録した拾得物が遺失物の候補であると判別した場合、その遺失物の候補と、その候補と遺失物とのマッチング率と、を通信部３３からネットワークＮを介して、遺失物検索依頼を送信したユーザ端末１０にプッシュ通知してもよい。
【００６２】
さらに、制御部３５は、ユーザ端末１０からネットワークＮを介して送信される遺失物指定を通信部３３で受信したことに応答して、遺失物指定から特定される遺失物の候補である拾得物に対応する保管者ＩＤを拾得物ＤＢ３４２から特定する。続いて、制御部３５は、拾得物ＤＢ３４２から特定した保管者ＩＤに対応する保管所の連絡先（例えば電話番号やメールアドレス等）を保管者ＤＢ３４０から特定する。そして、制御部３５は、保管者ＤＢ３４０から特定した保管所の連絡先を通知する保管所通知を通信部３３からネットワークＮを介して、遺失物指定を送信したユーザ端末１０に送信する。また、制御部３５は、保管所通知に加えて、或いはこれに代えて、ユーザの遺失物を拾得物として保管する保管所の連絡先を通知する電子メールを通信部３３からネットワークＮを介して、遺失物指定から特定されるユーザのメールアドレスに宛てて送信してもよい。
【００６３】
また、制御部３５は、保管者端末２０からネットワークＮを介して送信される拾得物返却通知を通信部３３で受信したことに応答して、拾得物返却通知から特定される保管者ＩＤ及び拾得物に関する情報に対応付けて拾得物ＤＢ３４２に登録されている返却済みフラグをオンする。
【００６４】
次に、上記構成を備える遺失物検索システムの動作について、図面を参照して説明する。
【００６５】
ユーザが検索アプリを管理サーバ３０からネットワークＮを介してダウンロードしてユーザ端末１０にインストールした後、ユーザ端末１０のタッチパネル１１には、まず、図示せぬメールアドレス登録画面が表示される。ユーザは、メールアドレス登録画面で自己のメールアドレスを入力する。制御部１５は、ユーザがメールアドレス登録画面で入力したメールアドレスを通信部１３からネットワークＮを介して管理サーバ３０に送信する。そして、管理サーバ３０の制御部３５は、ユーザ端末１０からネットワークＮを介して送信されるユーザのメールアドレスを通信部３３で受信してユーザＤＢ３４１に登録する。
【００６６】
その後、ユーザ端末１０のタッチパネル１１には、図３（ａ）に示すトップ画面１００が表示される。ユーザは、トップ画面１００に表示される「持ち物登録」のアイコン、又は画面下側に常時表示される「持ち物登録」のアイコンをタップして、図示せぬ所有物登録画面をタッチパネル１１に表示させる。ユーザは、撮影部１２で所有物を撮影して撮影画像を生成するとともに、その所有物の特徴（例えば水色の小さなバッグ等）を所有物登録画面で入力する。そして、制御部１５は、ユーザのメールアドレス、並びにそのユーザの所有物の撮影画像及び特徴等の所有物に関する情報を含む所有物登録要求を通信部１３からネットワークＮを介して管理サーバ３０に送信することにより、ユーザの所有物の登録を管理サーバ３０に要求する。管理サーバ３０の制御部３５は、ユーザ端末１０からネットワークＮを介して送信される所有物登録要求を通信部３３で受信したことに応答して、所有物登録要求から特定されるユーザのメールアドレスと、そのユーザの所有物の撮影画像及び特徴と、を対応付けてユーザＤＢ３４１に登録する。
【００６７】
ここで、ユーザが通勤途中（例えば小田急線〜ＪＲ山手線〜東京メトロ日比谷線での通勤途中等）に自己の所有物（例えば水色の小さなバッグ等）を遺失し、その遺失物を何人かが駅（例えば新宿駅等）で拾得して駅員に届けた場合、その拾得物は、駅（例えば新宿駅等）の保管所で保管される。保管所の従業員（保管者）は、保管者端末２０の撮影部２２で拾得物を撮影して撮影画像を生成するとともに、その拾得物の特徴をタッチパネル２１で入力する。そして、制御部２５は、保管者ＩＤ、拾得物の撮影画像及び特徴、並びにその拾得場所（例えば新宿駅等の駅名等）等の拾得物に関する情報を含む拾得物登録要求を通信部２３からネットワークＮを介して管理サーバ３０に送信する。管理サーバ３０の制御部３５は、保管者端末２０からネットワークＮを介して送信される拾得物登録要求を通信部３３で受信したことに応答して、拾得物登録要求から特定される保管者ＩＤ、拾得物の撮影画像及び特徴、並びに拾得場所と、その登録日時と、を対応付けて拾得物ＤＢ３４２に登録する。
【００６８】
その後、ユーザが自己の所有物を遺失したことに気付いた場合において、その遺失物が未登録であるときには、その遺失物の特徴を所有物登録画面で入力して管理サーバ３０のユーザＤＢ３４１に登録してから、その遺失物が登録済みであるときには、そのまま「持ち物リスト」のアイコンをタップして、図３（ｂ）に示す所有物一覧画面１１０をタッチパネル２１に表示させる。なお、遺失物が未登録である場合において、その遺失物の撮影画像がないときには、撮影画像を管理サーバ３０のユーザＤＢ３４１に登録しなければよい。次に、ユーザは、所有物一覧画面１１０で遺失物を選択して、図３（ｃ）に示す所有物詳細画面１２０をユーザ端末１０のタッチパネル１１に表示させる。なお、ユーザは、所有物詳細画面１２０で遺失物の特徴や遺失範囲を伝えるメッセージを入力することができる。続いて、ユーザは、所有物詳細画面１２０で「落とし物に登録する」のアイコンをタップして、図４に示す遺失物登録画面１３０をタッチパネル１１に表示させる。そして、ユーザが遺失物登録画面１３０で遺失範囲（例えば小田急線〜ＪＲ山手線〜東京メトロ日比谷線での通勤途中等）及び遺失期間（例えば午前１１時頃等）等を入力した後、「登録する」のアイコンをタップしたことに応答して、遺失物検索システム１は、遺失物検索処理を開始する。
【００６９】
図８及び図９は、遺失物検索処理の一例を示すフローチャートである。
【００７０】
遺失物検索処理において、まず、ユーザ端末１０の制御部１５は、ユーザのメールアドレス、遺失物の撮影画像及び特徴、並びに遺失物登録画面１３０で入力した遺失範囲及び遺失期間等の遺失物に関する情報を含む遺失物検索依頼を通信部１３からネットワークＮを介して管理サーバ３０に送信する（図８のステップＳ１）。
【００７１】
管理サーバ３０の制御部３５は、ユーザ端末１０からネットワークＮを介して送信される遺失物検索依頼を通信部３３で受信したことに応答して（ステップＳ１）、拾得物ＤＢ３４２に登録されている拾得物のうちから、遺失物検索依頼から特定される遺失物の候補を検出する（ステップＳ２）。
【００７２】
具体的に、制御部３５は、拾得物ＤＢ３４２に登録されている返却済みフラグがオフの拾得物のうちから、遺失物検索依頼から特定される遺失物と特徴（例えば水色の小さなバッグ等）が合致し、拾得場所（例えば新宿駅等の駅名等）が遺失範囲（例えば小田急線〜ＪＲ山手線〜東京メトロ日比谷線での通勤途中等）に含まれ、登録日時が遺失期間に含まれる拾得物を検出する。続いて、制御部３５は、既存の画像照合システムを用いて、拾得物ＤＢ３４２から検出した拾得物それぞれの撮影画像と、遺失物検索依頼から特定される遺失物の撮影画像と、の照合（画像照合）を行い、拾得物ＤＢ３４２から検出した拾得物それぞれと遺失物とのマッチング率を求める。そして、制御部３５は、遺失物とのマッチング率が所定の閾値（例えば５０％）以上の拾得物を遺失物の候補として検出する。
【００７３】
制御部３５は、遺失物の候補を検出できなかった場合（ステップＳ１；Ｎｏ）、その旨を示す検出不能通知を通信部３３からネットワークＮを介して、遺失物検索依頼を送信したユーザ端末１０に送信する（ステップＳ２）。
【００７４】
そして、ユーザ端末１０の制御部１５は、管理サーバ３０からネットワークＮを介して送信される検出不能通知を通信部１３で受信したことに応答して（ステップＳ１）、遺失物の候補を検出できなかった旨をタッチパネル１１に表示する（ステップＳ２）。
【００７５】
その後、管理サーバ３０の制御部３５は、保管者端末２０からネットワークＮを介して送信される拾得物登録要求を通信部３３で受信したことに応答して（ステップＳ１；Ｙｅｓ）、拾得物登録要求から特定される保管者ＩＤ、拾得物の撮影画像及び特徴、並びに拾得場所と、その登録日時と、を対応付けて拾得物ＤＢ３４２に登録するとともに（ステップＳ２）、ステップＳ２と同様の処理を行って、拾得物ＤＢ３４２に新たに登録した拾得物が、遺失物検索依頼から特定される遺失物の候補であるか否かを判別する（ステップＳ３）。
【００７６】
そして、制御部３５は、遺失物の候補を検出できた場合（ステップＳ１；Ｙｅｓ）、及び新たに登録した拾得物が遺失物の候補であると判別した場合（ステップＳ３；Ｙｅｓ）、その遺失物の候補と、その候補と遺失物とのマッチング率と、を含む検索結果通知を通信部３３からネットワークＮを介して、遺失物検索依頼を送信したユーザ端末１０に送信する（ステップＳ１）。なお、制御部３５は、新たに登録した拾得物が遺失物の候補であると判別した場合、その遺失物の候補と、その候補と遺失物とのマッチング率と、を通信部３３からネットワークＮを介して、遺失物検索依頼を送信したユーザ端末１０にプッシュ通知してもよい。
【００７７】
ユーザ端末１０の制御部１５は、管理サーバ３０からネットワークＮを介して送信される検索結果通知を通信部１３で受信したことに応答して（ステップＳ１）、検索結果通知から特定される遺失物の候補と、その候補と遺失物とのマッチング率と、を一覧にして示す図５（ａ）の検索結果画面１４０をタッチパネル１１に表示する（図９のステップＳ２）。
【００７８】
その後、制御部１５は、ユーザが検索結果画面１４０に一覧表示される遺失物の候補のうちから、自己の遺失物を選択したことに応答して（ステップＳ１；Ｙｅｓ）、その詳細を示す図５（ｂ）の遺失物候補詳細画面１５０をタッチパネル１１に表示する（ステップＳ２）。
【００７９】
そして、制御部１５は、ユーザが遺失物候補詳細画面１５０をタップしたことに応答して（ステップＳ１；Ｙｅｓ）、遺失物候補詳細画面１５０に表示される遺失物の候補を、自己の遺失物として指定する遺失物指定を通信部１３からネットワークＮを介して管理サーバ３０に送信する（ステップＳ２）。
【００８０】
なお、遺失物がクレジットカードやキャッシュカード等である場合、ユーザが遺失物候補詳細画面１５０をタップしたことに応答して、制御部１５は、遺失物指定を管理サーバ３０に送信するとともに、遺失物であるクレジットカードやキャッシュカード等をストップリストに入れて、そのカード発行事業者の紛失・盗難受付デスクの電話番号をタッチパネル１１に表示してもよい。さらに、遺失物候補詳細画面１５０には、ＳＮＳ（Social Networking Service）のシェアボタンが設けられていてもよく、ユーザは、遺失物候補詳細画面１５０でＳＮＳのシェアボタンをタップして、遺失物の詳細をＳＮＳ上の友人に拡散することができるようにしてもよい。
【００８１】
管理サーバ３０の制御部３５は、ユーザ端末１０からネットワークＮを介して送信される遺失物指定を通信部３３で受信したことに応答して（ステップＳ１）、遺失物指定から特定される遺失物の候補である拾得物に対応する保管者ＩＤを拾得物ＤＢ３４２から特定する（ステップＳ２）。
【００８２】
続いて、制御部３５は、拾得物ＤＢ３４２から特定した保管者ＩＤに対応する保管所の連絡先（例えば電話番号やメールアドレス等）を保管者ＤＢ３４０から特定する（ステップＳ１）。
【００８３】
そして、制御部３５は、保管者ＤＢ３４０から特定した保管所の連絡先を通知する保管所通知を通信部３３からネットワークＮを介して、遺失物指定を送信したユーザ端末１０に送信する（ステップＳ１）。また、制御部３５は、保管所通知に加えて、或いはこれに代えて、ユーザの遺失物を拾得物として保管する保管所の連絡先を通知する電子メールを通信部３３からネットワークＮを介して、遺失物指定から特定されるユーザのメールアドレスに宛てて送信してもよい。
【００８４】
ユーザ端末１０の制御部１５は、管理サーバ３０からネットワークＮを介して送信される保管所通知を通信部１３で受信したことに応答して（ステップＳ１）、保管所通知から特定されるユーザの遺失物を拾得物として保管する保管所の連絡先（例えば電話番号やメールアドレス等）をタッチパネル１１に表示して（ステップＳ２）、遺失物検索処理を終了する。
【００８５】
その後、ユーザは、タッチパネル１１に表示される連絡先（例えば電話番号やメールアドレス等）の保管所に連絡して自己の遺失物の特徴を保管者に伝える。保管者は、ユーザの言う遺失物の特徴と、保管所に保管している拾得物の特徴と、を照合する。そして、保管者は、保管所に保管している拾得物が、そのユーザの遺失物であると判断した場合、ユーザに直接手渡した方がよいものであれば、ユーザに拾得物を取りに来てもらい、郵送してもよいものであれば、ユーザから郵送先を聞いて、その郵送先に拾得物を郵送すればよい。
【００８６】
そして、保管者は、ユーザに拾得物を返却した後、保管者端末２０のタッチパネル２１を操作して、保管者ＩＤと、ユーザに返却した拾得物に関する情報と、を含む拾得物返却通知を通信部２３からネットワークＮを介して管理サーバ３０に送信する。
【００８７】
管理サーバ３０の制御部３５は、保管者端末２０からネットワークＮを介して送信される拾得物返却通知を通信部３３で受信したことに応答して、拾得物返却通知から特定される保管者ＩＤ及び拾得物に関する情報に対応付けて拾得物ＤＢ３４２に登録されている返却済みフラグをオンする。
【００８８】
以上説明したように、本実施形態に係る遺失物検索システム１において、管理サーバ３０は、各所で保管される拾得物に関する情報を登録する拾得物ＤＢ３４２を備えている。そして、管理サーバ３０の制御部３５は、ユーザ端末１０からネットワークＮを介して送信される遺失物の検索依頼を受信したことに応答して（ステップＳ１）、検索依頼された遺失物に関する情報と、拾得物ＤＢ３４２に登録されている拾得物に関する情報と、に基づいて、検索依頼された遺失物の候補を、拾得物ＤＢ３４２に登録されている拾得物のうちから検出する（ステップＳ２）。
【００８９】
具体的に、拾得物に関する情報には、拾得物の撮影画像及び特徴と、拾得物の拾得場所（例えば新宿駅等の駅名等）と、拾得物ＤＢ３４２への登録日時と、が含まれている。また、遺失物に関する情報には、遺失物の撮影画像及び特徴と、遺失物の遺失範囲（例えば小田急線〜ＪＲ山手線〜東京メトロ日比谷線での通勤途中等）と、遺失物の遺失期間と、が含まれている。そして、制御部３５は、ステップＳ２において、拾得物ＤＢ３４２に登録されている返却済みフラグがオフの拾得物のうちから、遺失物検索依頼から特定される遺失物と特徴（例えば水色の小さなバッグ等）が合致し、拾得場所（例えば新宿駅等の駅名等）が遺失範囲（例えば小田急線〜ＪＲ山手線〜東京メトロ日比谷線での通勤途中等）に含まれ、登録日時が遺失期間に含まれる拾得物を検出する。続いて、制御部３５は、拾得物ＤＢ３４２から検出した拾得物それぞれの撮影画像と、遺失物検索依頼から特定される遺失物の撮影画像と、で画像照合を行って、拾得物ＤＢ３４２から検出した拾得物それぞれと遺失物とのマッチング率を求め、遺失物とのマッチング率が所定の閾値（例えば５０％）以上の拾得物を遺失物の候補として検出する。
【００９０】
そして、制御部３５は、ステップＳ２で検出した遺失物の候補をネットワークＮを介してユーザ端末１０に通知する（ステップＳ１）。その後、制御部３５は、ステップＳ１で通知した遺失物の候補のうちのいずれかが、ユーザ端末１０で選択されたことに応答して、選択された遺失物の候補である拾得物の保管所の連絡先を、ネットワークＮを介してユーザ端末１０に通知する（ステップＳ１）。
【００９１】
また、制御部３５は、遺失物の検索依頼を受信した後、新たに拾得物に関する情報を拾得物ＤＢ３４１に登録した場合（ステップＳ１；Ｙｅｓ）、検索依頼された遺失物に関する情報と、新たに登録した拾得物に関する情報と、に基づいて、ステップＳ２と同様の処理を行って、新たに登録した拾得物が遺失物の候補である否かを判別する（ステップＳ３）。そして、制御部３５は、ステップＳ３で新たに登録した拾得物が遺失物の候補であると判別した場合、新たに登録した拾得物を遺失物の候補としてネットワークＮを介してユーザ端末１０に通知する（ステップＳ１）。
【００９２】
このように、本実施形態に係る遺失物検索システム１によれば、駅やホテル等の従業員（保管者）は、拾得物に関する情報を予め拾得物ＤＢ３４２に登録しておきさえすれば、また、ユーザは、遺失物の検索依頼をしておきさえすれば、後は管理サーバ３０が自動で、各所で保管される拾得物のうちから、検索依頼された遺失物の候補を検索し、その検索結果をユーザに通知してくれるため、ユーザ及び保管者の手間を大幅に低減させることができる。
【００９３】
また、管理サーバ３０は、遺失物の候補それぞれの撮影画像と遺失物の撮影画像との画像照合を行う機能を有しているため、駅やホテル等の従業員（保管者）は、拾得物と遺失物との照合を行う手間を省くことができる。さらに、ユーザは、検索アプリに所有物を予め登録しておけば、遺失したときに迅速に検索することができる。
【００９４】
加えて、画像照合の結果をデータベース化してビッグデータを構築することで、幅広い業界に活用することができる。また、２０２０年の東京オリンピックに向けて外国人観光客の遺失物にも対応することができる。
【００９５】
さらに、管理サーバ３０では、ユーザが指定した遺失物の候補である拾得物と、ユーザの個人情報（例えばメールアドレス等）と、が結び付くため、拾得物の所有者以外の者が保管所で遺失物を詐取することを可及的に防止することができる。
【００９６】
この結果、ユーザとしては、遺失物を簡易かつ迅速に検索することができ、また、拾得物を保管する会社としても、拾得物に関して多大な人員、費用、及び時間を割く必要をなくすことができる。
【００９７】
なお、本発明は、上記の実施形態に限定されず、種々の変形、応用が可能である。以下、本発明に適用可能な上記の実施形態の変形態様について、説明する。
【００９８】
上記の実施形態では、駅やホテル等の各所で保管される傘や、衣類、バッグ、携帯電話、パーソナルコンピュータ、動物等の拾得物のうちから、ユーザの遺失物を検索するため遺失物検索システムを例に説明した。しかしながら、本発明はこれに限定されるものではなく、迷子になった子供や、徘徊して行方不明となった認知症の老人等を捜索するための行方不明者捜索システムであってもよい。この例では、管理サーバ３０は、各所で保護される身元不明者に関する情報を登録する身元不明者ＤＢを備える。管理サーバ３０の制御部３５は、ユーザ端末１０からネットワークＮを介して送信される行方不明者の捜索依頼を受信したことに応答して、捜索依頼された行方不明者に関する情報と、身元不明者ＤＢに登録されている身元不明者に関する情報と、に基づいて、捜索依頼された行方不明者の候補を、身元不明者ＤＢに登録されている身元不明者のうちから検出する。具体的に、身元不明者に関する情報には、身元不明者の顔写真が含まれ、行方不明者に関する情報には、行方不明者の顔写真が含まれている。そして、制御部３５は、身元不明者ＤＢに登録されている身元不明者の顔写真と、捜索依頼された行方不明者の顔写真と、で顔認証を行って、身元不明者と行方不明者とのマッチング率を求め、マッチング率が所定の閾値以上の身元不明者を行方不明者の候補として検出すればよい。これにより、ユーザは、行方不明を簡易かつ迅速に捜索することができる。
【００９９】
上記の実施形態において、制御部３５のＣＰＵが実行するプログラムは、予めＲＯＭ等に記憶されていた。しかしながら、本発明は、これに限定されず、上述の処理を実行させるためのプログラムを、既存の汎用コンピュータに適用することで、上記の実施形態に係る管理サーバ３０として機能させてもよい。
【０１００】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１０１】
また、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【０１０２】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【０１０３】
なお、本願については、２０１６年７月９日に出願された日本国特許出願２０１６−１３６４６８号を基礎とする優先権を主張し、本明細書中に日本国特許出願２０１６−１３６４６８号の明細書、特許請求の範囲、図面全体を参照として取り込むものとする。
【符号の説明】
【０１０４】
１                遺失物検索システム
１０              ユーザ端末
１１，２１        タッチパネル
１２，２２        撮影部
１３，２３，３３  通信部
１４，２４，２４  記憶部
１５，２５，３５  制御部
２０              保管者端末
３０              管理サーバ
３４０            保管者ＤＢ
３４１            ユーザＤＢ
３４２            拾得物ＤＢ
【図１】
2018012439.tif 000003
【図２】
2018012439.tif 000004
【図３】
2018012439.tif 000005
【図４】
2018012439.tif 000006
【図５】
2018012439.tif 000007
【図６】
2018012439.tif 000008
【図７】
2018012439.tif 000009
【図８】
2018012439.tif 000010
【図９】
2018012439.tif 000011
【国際調査報告】
2018012439.tif 000012
2018012439.tif 000013
2018012439.tif 000014
2018012439.tif 000015
2018012439.tif 000016
2018012439.tif 000017
2018012439.tif 000018
2018012439.tif 000019